(57)【特許請求の範囲】
【請求項１】
つる性植物をガイドすべくつる性植物の植え込み位置近傍から上方に延びて張設されるクライムサポートにおいて、金属からなる索を有すると共に該索の外周に設けられ径方向外方に突起する突起部を有する心線の外周に、炭からなる被膜を設けたことを特徴とするクライムサポート。
【請求項２】
前記索が、複数本の金属線を撚り合わせた撚り線からなる請求項１記載のクライムサポート。
【請求項３】
つる性植物をガイドすべくつる性植物の植え込み位置近傍から上方に延びて張設されるクライムサポートにおいて、金属からなる索を有すると共に該索の外周に設けられ径方向外方に突起する突起部を有する心線の外周に、多孔質材からなる被膜を設け、前記心線が、前記索の外周に針金を巻回すると共に該針金の両端部を前記索から棘状に突出させてなる有棘金属線から前記針金の両端部を切り落として形成されたことを特徴とするクライムサポート。
【請求項４】
地面又は固定構造物に固定され上下に離間する一対のフレームと、これらフレーム間に張設された請求項１〜３のいずれかに記載のクライムサポートとを備えたことを特徴とするツル、ツタ用登攀補助機材。
【発明の詳細な説明】
【技術分野】
【０００１】
本発明は、つきぬきにんどう、時計草、ジャスミン、あけび等のツル、ツタ等（つる性植物）を登攀させるためのクライムサポート（登攀支持材）及びこれを用いたツル、ツタ用登攀補助機材に関するものである。
【背景技術】
【０００２】
従来のツル、ツタ用登攀補助機材はワイヤーとワイヤーを固定する専用器具からなっている。
【０００３】
ツル、ツタ用登攀補助機材は、つる性植物の植生が必要とされる建物や面にアングルなどの取付け用金物をセットし、これに専用器具でワイヤーを取り付け、ワイヤーのテンションを高め、つる性植物を登攀させるものである。
【０００４】
また、これとは別に立体トラス構造を利用した専用パネルからなるツル、ツタ用登攀補助機材も売り出されている。これはパネルなので線ではなく面の緑化に有効である。
【０００５】
ただし、パネルタイプのツル、ツタ用登攀補助機材はパネルが非常に高価である上、取り付けも簡単ではない。
【先行技術文献】
【特許文献】
【０００６】
【特許文献１】特開２００２−２７２２７４号公報
【発明の概要】
【発明が解決しようとする課題】
【０００７】
ところで、ワイヤータイプはパネルタイプよりは安価であるが、つる性植物の登攀力向上に工夫がなく、ワイヤーの蓄熱や染みこんだ油の影響でつる性植物の巻根の食いつきが悪いという課題があった。
【０００８】
そこで、本発明の目的は、上記課題を解決し、つる性植物が良好に登攀できる安価なクライムサポート及びこれを用いたツル、ツタ用登攀補助機材を提供することにある。
【課題を解決するための手段】
【０００９】
上記課題を解決するために本発明は、つる性植物をガイドすべくつる性植物の植え込み位置近傍から上方に延びて張設されるクライムサポートにおいて、金属からなる索を有すると共に該索の外周に設けられ径方向外方に突起する突起部を有する心線の外周に、炭からなる被膜を設けたものである。
【００１１】
前記索が、複数本の金属線を撚り合わせた撚り線からなるとよい。
【００１２】
つる性植物をガイドすべくつる性植物の植え込み位置近傍から上方に延びて張設されるクライムサポートにおいて、金属からなる索を有すると共に該索の外周に設けられ径方向外方に突起する突起部を有する心線の外周に、多孔質材からなる被膜を設け、前記心線が、前記索の外周に針金を巻回すると共に該針金の両端部を前記索から棘状に突出させてなる有棘金属線から前記針金の両端部を切り落として形成されたものである。
【００１３】
また、ツル、ツタ用登攀補助機材が、地面又は固定構造物に固定され上下に離間する一対のフレームと、これらフレーム間に張設された請求項１〜３のいずれかに記載のクライムサポートとを備えたものである。
【発明の効果】
【００１４】
本発明によれば、つる性植物が良好に登攀でき、安価にできる。
【図面の簡単な説明】
【００１５】
【図１】図１（ａ）はクライムサポートに利用する有棘金属線の正面図であり、図１（ｂ）は棘を落とした有棘金属線の正面図であり、図１（ｃ）はクライムサポートの正面図である。
【図２】図２（ａ）はツル、ツタ用緑化機材の概略正面図であり、図２（ｂ）は図２（ａ）の概略側面図である。
【発明を実施するための形態】
【００１６】
本発明の実施の形態を発明に至った経緯から説明する。
【００１７】
まず、本願の発明者は、つる性植物の育成伸張に関する比較実験をワイヤー等を用いて行い、ワイヤーの材質がつる性植物の登攀に適さないことを見出した。
【００１８】
ワイヤーの材質がつる性植物の登攀に適さない原因として考えられた事は、まずワイヤーの構造にあった。ワイヤーは細い鋼材を撚り合わせたものでありその構造上、すべりを良くする為、一定量の油分を帯びていることが主因ではないかと考えられた。
【００１９】
また、ツル、ツタを巻き付かせて登攀するには物理的な取っ掛かりが必要であるが、ワイヤーにはほとんどそのような凸部が存在しないことも要因であると考えられた。
【００２０】
次に、つる性植物の成長期はかなり気候的にも暑いときである。日中の金属の蓄熱した表面温度が巻根の成長を大きく妨げることも要因と考えられ、全ての金属製の植物登攀補助機材の弱点はここにあると考えられた。
【００２１】
そこで、本願の発明者は、上述の問題点を解決し、植物の巻根が快適に成長し食指を伸ばせるようにするために、３つの条件を満たすクライムサポートの開発を開始した。
【００２２】
この３つの条件とは、
第１に表面温度の変化を気温並みに抑えること、
第２に細くか弱い巻根が抱きつきやすくすること、
第３に少なくても一定時間水分を一時的にでも保持できることであった。
【００２３】
開発においては、まず、つる性植物が巻根を絡ませて登攀するには物理的な取っ掛かりが必要であることを発案した。つる性植物が風などで煽られた時にも回転を抑える抵抗力を大きく強くすることができ、数段強く巻き付くことができる。このことはとりもなおさずつる性植物の安定した成長に効果的である。不安定な縮こまった状態では成長より、安定化に植物の持つエネルギーは使われ、成長を自己抑制するからである。
【００２４】
そこで、つる性植物をより安定した状態で成長させるために、後述するクライムサポートのように、索に一定間隔で突起部を取り付けた。突起部の間隔は狭いに越したことはないが巻根の間隔に合わせ１０〜３０ｃｍ前後とした。また、油分の無い素材で劣化が遅く強い張力に耐える素材としてＳＵＳ３０６程度のステンレス番線（１８番）を３本寄り合わせ、途中３０ｃｍ間隔で突起部を取り付けた（これは鉄条網の所謂バラセン（有棘金属線）に酷似しているので、その棘を落として使うことがコスト低減の上からも適切になる）。
【００２５】
つぎに、表面温度の変化を気温並みに抑えるためには、索と突起部の全体に多孔質の細かな炭を塗布することを発案した。これにより多孔質素材の特徴として気温並みに素材表面温度を抑えることと、一定時間保水、更に巻根の繊細な感触に応える表面被膜の効果が発揮できる。つる性植物の成長にともなうストレスのうち、安定性と巻根の生理的な成長抑制原因を取り除くことによりつる性植物の成長速度は大幅に向上するものと思われる。
【００２６】
また、油分がなく表面を炭で被覆されたステンレス番線は３本を撚り合わせ、一本当たり２００ｋｇ以上の張力に耐えるものとした。従って、３本で０．５トン以上の吊り下げ荷重に耐える。
【００２７】
このことは２０ｍ以上のロングスパンの引っ張りにも耐える事であり、更に、複数のクライムサポートを並行に、かつ、間隔を縮めて設置すれば、クライムサポート間に空中花壇的な中継基地を設置することが可能となる。
【００２８】
次につる性植物をガイドすべくつる性植物の植え込み位置近傍から上方に延びて張設されるクライムサポートを図面に基づいて説明する。
【００２９】
図１（ｃ）に示すように、クライムサポート１は、金属からなる索２を有すると共に索２の外周に設けられ径方向外方に突起する突起部３を有する心線４の外周に、多孔質材からなる被膜５を設けて構成される。
【００３０】
図１（ｂ）に示すように、索２は、ステンレスからなる金属線６を３本撚り合わせた撚り線（ワイヤー）からなる。突起部３は、索２の外周に針金７を２〜６周程度巻回して形成されている。突起部３は、索２に軸方向に３０ｃｍ間隔で複数設けられている。
【００３１】
具体的には、心線４は、図１（ａ）に示すようなステンレス製の有棘金属線１４、すなわち、索２の外周に針金７を巻回すると共に針金７の両端部を索２から棘状に突出させてなる有棘金属線１４から棘１５（針金７の両端部）を切り落として形成する。心線４の作製を容易に、かつ、安価にできる。
【００３２】
なお、索２は、金属線６を複数本撚り合わせた撚り線からなるものであってもよい。
【００３３】
図１（ｃ）に示すように、被膜５は、心線４に多孔質材を接着してなる。具体的には、多孔質材は、くん炭等の細かな炭からなり、心線４の外周に接着剤を塗布して接着剤層（図示せず）を形成したのち、接着剤層の外周に炭をまんべんなく付着させて炭層（図示せず）を形成してなる。
【００３４】
クライムサポート１を用いたツル、ツタ用登攀補助機材について述べる。
【００３５】
図２（ａ）、（ｂ）に示すように、ツル、ツタ用登攀補助機材８は、地面又は固定構造物に固定され上下に離間する一対のフレーム９、１０と、これらフレーム９、１０間に張設されたクライムサポート１とからなる。フレーム９、１０は、それぞれ水平方向に平行に延びており、地面にアンカー（図示せず）を介して又は固定構造物たる建築物１１の側面に取付金具１２を介して固定されている。クライムサポート１は、フレーム９、１０の延長方向に沿って複数本等間隔に張設されており、複草混合植栽が容易にできるようになっていると共に、クライムサポート１間に空中花壇的な中継基地１３としてのプランター等を設置できるようになっている。
【００３６】
次に本実施の形態の作用を述べる。
【００３７】
つる性植物の巻根が上方に延びるクライムサポート１に接触すると、巻根はクライムサポート１に巻き付く。このとき、クライムサポート１の表面は炭からなり、水分を適度に含み、気温を上回ることはなく、油分を含まないため、柔らかく弱い巻根であっても良好に巻き付いてなじむことができる。また、つる性植物が成長し、巻根で自重を支える必要が生じたとき、巻根がクライムサポート１の突起部３に掛かって滑り落ちないため、つる性植物は良好に登攀できる。つる性植物のエネルギーが自身の安定のために消費されることがないため、つる性植物は自身のエネルギーで効率よく健全に成長することができる。
【００３８】
また、年月と共にクライムサポート１から炭が剥がれ落ちることは考えられるが、突起部３がつる性植物の巻根を支持するため、つる性植物がクライムサポート１から滑り落ちることはない。
【００３９】
このように、金属からなる索２を有すると共に索２の外周に設けられ径方向外方に突起する突起部３を有する心線４の外周に、多孔質材からなる被膜５を設けてクライムサポート１を形成したため、気温並みにクライムサポート１の素材表面温度を抑えることができると共に、一定時間保水でき、更に巻根の繊細な感触に応える表面被膜の効果が発揮でき、つる性植物を良好に登攀させることができる。また、クライムサポート１を安価なものにできる。そして、つる性植物の成長にともなうストレスのうち、安定性と巻根の生理的な成長抑制原因を取り除くことができ、つる性植物の成長速度を大幅に向上することができる。
【００４０】
被膜５を構成する多孔質材が、炭からなるものとしたため、クライムサポート１を簡易な構造でつる性植物がなじみ易いものにできる。
【００４１】
索２が、複数本の金属線６を撚り合わせた撚り線からなるものとしたため、大きな吊り下げ荷重に耐えることができる。例えば、一本当たり２００ｋｇ以上の張力に耐えるステンレス番線（１８番）を３本撚り合わせると、３本で０．５トン以上の吊り下げ荷重に耐えることができ、２０ｍ以上のロングスパンの引っ張りにも耐える事ができる。また更に、クライムサポート１間の間隔を縮めれば、空中花壇的な中継基地１３も設置可能となる。
【００４２】
心線４が、索２の外周に針金７を巻回すると共に針金７の両端部を索２から棘状に突出させてなる有棘金属線１４から針金７の両端部を切り落として形成されるものとしたため、クライムサポート１を更に安価かつ容易に形成することができる。
【００４３】
また、地面又は固定構造物に固定され上下に離間する一対のフレーム９、１０と、これらフレーム９、１０間に張設されたクライムサポート１とを備えてツル、ツタ用登攀補助機材８を構成するものとしたため、つる性植物を良好に登攀させることができると共にツル、ツタ用登攀補助機材８を安価にできる。
【００４４】
なお、金属線６はステンレスからなるものとしたが、十分な強度と耐食性があれば他の金属からなるものであってもよい。
【００４５】
突起部３は索２に３０ｃｍ間隔で設けるものとしたが、育成する植物の巻根の間隔に合わせて適宜変更するとよい。
【００４６】
被膜５を構成する多孔質材は炭からなるものとしたが、これに限るものではない。例えば、貝殻を焼成したものであってもよい。ただし、巻根がなじみ易い天然素材（樹脂を除く）であることが好ましく、特に無機材料であることが好ましい。
【符号の説明】
【００４７】
１  クライムサポート
２  索
３  突起部
４  心線
５  被膜
６  金属線
７  針金
８  ツル、ツタ用登攀補助機材
【図１】
0005511572.tif 000002
【図２】
0005511572.tif 000003